(57)【特許請求の範囲】
【請求項１】
壁又は天井に取り付けられたボード材を骨組から手動で引き剥がすボード剥がし工具であって、
後端部を掴んで回転させる基軸棒と、この基軸棒に対して交差して取り付けられた先端が梃子の支点となる支点部材と、前記基軸棒の先端に取り付けられた前記ボード材の端部を掛け止める掛止部材と、を備え、
前記掛止部材は、前記基軸棒に対して揺動自在に取り付けられていること
を特徴とするボード剥がし工具。
【請求項２】
前記支点部材の先端は、前記支点部材の長手方向と直交し、且つ、前記基軸棒の回転方向とも直交する方向を長辺とする断面略矩形の平板状となっていること
を特徴とする請求項１に記載のボード剥がし工具。
【請求項３】
前記支点部材の先端は、前記ボード材に突き刺さるように鋭利な尖った形状となっていること
を特徴とする請求項２に記載のボード剥がし工具。
【請求項４】
前記支点部材の先端から離間して、前記支点部材と直交する直交部材を備えること
を特徴とする請求項１ないし３のいずれかに記載のボード剥がし工具。
【発明の詳細な説明】
【技術分野】
【０００１】
本発明は、壁又は天井に取り付けられた石膏ボードなどのボード材を骨組から引き剥がすボード剥がし工具に関するものである。
【背景技術】
【０００２】
従来、改修工事や解体工事の際には、間仕切り壁などの壁面や天井面に取り付けられた石膏ボードなどのボード材を解体撤去する際には、バールやハンマーなどでボード材を叩いて破壊してから撤去していた。そのため、破壊時に大きな騒音が発生するとともに、大量の粉塵が舞うため、同一フロアーや上下階を使用しながら改修工事や解体工事を行うことが困難であり、改修工事や解体工事を夜間や休日の作業時間帯で行うことが強いられるという問題があった。
【０００３】
このような問題を解決するべく、特許文献１には、前記壁材剥離装置が、幅方向へ所定寸法離間して上下方向へ平行して延びる一対の第１および第２ガイドレールと、前記第１および第２ガイドレールに上下方向へ移動可能に設置された第１および第２リフトと、前記第１および第２リフトに設置されてそれらリフトの間において幅方向へ延在し、それらリフトの移動にともなって上下方向へ移動するブレードと、前記第１および第２リフトをそれらガイドレールに沿って上下方向へ移動させる昇降機構とを備えた壁材剥離装置が開示されている（特許文献１の明細書の段落［００７８］〜［０１１０］、図面の図１，図２，図６，図１７〜図２１等参照）。
【０００４】
特許文献１に記載の壁材剥離装置は、壁の解体工事を誰でも低騒音・低振動で行うことができるという利点はあるものの、設備の傾きの調整など設置に時間がかかるという問題があった。また、特許文献１に記載の壁材剥離装置は、キャスターでベースマシンが移動自在であるものの、資材等が散乱する改修工事や解体工事の現場では、移動が困難な場合があるという問題があった。
【０００５】
また、壁面に取り付けられたボード材を電動カッター等の手持ちの切断装置で切断して取り外すことも考えられるが、石膏ボードなどのボード材は、軽量鉄骨や桟木などの骨組に、ビスやステープルなどの接合材で止め付けられており、この接合材を骨組から引き剥がすのが容易ではないという問題があった。
【先行技術文献】
【特許文献】
【０００６】
【特許文献１】特開２０１７−９５９３２号公報
【発明の概要】
【発明が解決しようとする課題】
【０００７】
そこで、本発明は、前述した問題に鑑みて案出されたものであり、その目的とするところは、大きな騒音や大量の粉塵を発生させることなく、誰でも簡単に壁面や天井面に取り付けられたボード材を剥がすことができるボード剥がし工具を提供することにある。
【課題を解決するための手段】
【０００８】
請求項１に係るボード剥がし工具は、壁又は天井に取り付けられたボード材を骨組から手動で引き剥がすボード剥がし工具であって、後端部を掴んで回転させる基軸棒と、この基軸棒に対して傾斜するように取り付けられて先端が梃子の支点となる支点部材と、前記基軸棒の先端に取り付けられた前記ボード材の端部を掛け止める掛止部材と、を備え、前記掛止部材は、前記基軸棒に対して揺動自在に取り付けられていることを特徴とする。
【０００９】
請求項２に係るボード剥がし工具は、請求項１に記載のボード剥がし工具において、前記支点部材の先端は、前記支点部材の長手方向と直交し、且つ、前記基軸棒の回転方向とも直交する方向を長辺とする断面略矩形の平板状となっていることを特徴とする。
【００１０】
請求項３に係るボード剥がし工具は、請求項２に記載のボード剥がし工具において、前記支点部材の先端は、前記ボード材に突き刺さるように鋭利な尖った形状となっていることを特徴とする。
【００１１】
請求項４に係るボード剥がし工具は、請求項１ないし３のいずれかに記載のボード剥がし工具において、前記支点部材の先端から離間して、前記支点部材と直交する直交棒を備えることを特徴とする。
【発明の効果】
【００１２】
請求項１〜４に記載の発明によれば、大きな騒音や大量の粉塵を発生させることなく、熟練工でなくても誰でも簡単に短時間で壁面に取り付けられたボード材を剥がすことができる。また、請求項１〜４に記載の発明によれば、ボード材を骨組から綺麗に引き剥がして撤去するため、解体撤去後の分別作業が極めて容易になることから、改修工事や解体工事の効率を上げることができる。
【００１３】
特に、請求項２に記載の発明によれば、支点部材の先端が、支点部材の長手方向と直交し、且つ、基軸棒の回転方向とも直交する方向を長辺とする断面矩形の平板状となっている。このため、請求項２に記載の発明によれば、手動で基軸棒を回転揺動する際に、支点となる支点部材の先端がずれることがないだけでなく、基軸棒を回転する方向もぶれることがなく、力学的に効率よくボード材を骨組から容易に引き剥がすことができる。
【００１４】
特に、請求項３に記載の発明によれば、支点部材の先端は、ボード材に突き刺さるように鋭利な尖った形状となっているので、さらに手動で基軸棒を回転揺動する際に、支点となる支点部材の先端がずれることがない。
【００１５】
特に、請求項４に記載の発明によれば、ボード剥がし工具を回転揺動する際に、支点部材の先端がボード材に突き刺さった場合であっても、直交部材がボード材に当接して支点となる。このため、請求項４に記載の発明によれば、支点部材の先端がボード材に突き刺さった場合でも、基軸棒を回転する方向がぶれることがなく、力学的に効率よくボード材を骨組から容易に引き剥がすことができる。
【図面の簡単な説明】
【００１６】
【図１】図１は、本発明の第１実施形態に係るボード剥がし工具を示す斜視図である。
【図２】図２は、同上のボード剥がし工具を壁側から見た状態で示す正面図である。
【図３】図３は、同上のボード剥がし工具を示す左側面図である。
【図４】図４は、同上のボード剥がし工具の基軸棒の変形例を示す斜視図である。
【図５】図５は、同上のボード剥がし工具の使用方法を示す説明図である。
【図６】図６は、本発明の第２実施形態に係るボード剥がし工具を示す斜視図である。
【図７】図７は、同上のボード剥がし工具を壁側から見た状態で示す正面図である。
【図８】図８は、同上のボード剥がし工具を示す左側面図である。
【図９】図９は、同上のボード剥がし工具の使用方法を示す説明図である。
【発明を実施するための形態】
【００１７】
以下、本発明に係るボード剥がし工具を実施するための一実施形態について、図面を参照しながら詳細に説明する。
【００１８】
［第１実施形態］
図１〜図５を用いて、本発明の第１実施形態に係るボード剥がし工具１について説明する。図１は、本発明の実施形態に係るボード剥がし工具１を示す斜視図である。また、図２は、ボード剥がし工具１を壁側から見た状態を示す正面図であり、図３は、ボード剥がし工具１を示す左側面図である。
【００１９】
本発明の実施形態に係るボード剥がし工具１は、図１〜図３に示すように、基軸棒２と
この基軸棒２に取り付けられた分岐棒３と、この分岐棒３に取り付けられた支点部材４と、を備えている。また、ボード剥がし工具１は、基軸棒２の先端に基軸棒２と直交する横棒５を備え、この横棒５にボード材の端部を掛け止める掛止部材６が取り付けられている。このボード剥がし工具１は、壁に取り付けられたボード材に支点部材４の先端４ａを当接させてその先端４ａを支点として基軸棒２の後端部２ｂを掴んで回転させて、梃子の原理を用いてボード材を壁の骨組から手動で引き剥がす機能を有している。
【００２０】
（基軸棒）
基軸棒２は、ボード材をビスやステープルなどの接合材から引き剥がすことができる回転モーメントを得るための所定の長さ（例えば、３００ｍｍ〜１０００ｍｍ）を有する棒材である。
【００２１】
図１〜図３に示すように、本実施形態に係る基軸棒２は、金属製の角パイプからなる。勿論、本発明に係る基軸棒は、金属パイプに限られるものではなく、図４に示すような市販の軽量なアルミフレームからなる基軸棒２’であっても構わない。要するに、本発明に係る基軸棒は、梃子の原理を用いて、ボード材を接合材から引き剥がすことができる回転モーメントを作用させることができる強度を有した棒材であれば寸法、形状、材質は問わない。
【００２２】
図１〜図３に示すように、この基軸棒２の横棒５が取り付けられる側が先端部２ａであり、反対側が後端部２ｂである。そして、この基軸棒２には、これらの先端部２ａと後端部２ｂとの間の中間部２ｃに、分岐棒３が側面視Ｌ型の金属プレートである接続プレート７を介してボルト接合されている。
【００２３】
（分岐棒）
分岐棒３は、基軸棒２と同材の棒材からなり、基軸棒２の軸方向に対して分岐棒３の軸方向が直交するように取り付けられた部材であり、後述の支点部材４を支持する機能を有している。また、本実施形態では、分岐棒３の長さは、基軸棒２の長さの１／４程度となっている。勿論、分岐棒３の長さは、支点部材４を所定の角度に支持固定できればよく、一定の長さに限定されるものではない。また、分岐棒３は、基軸棒２と別の材質から構成してもよく、基軸棒２に対して直交するだけでなく、傾斜するなど交差して互いに固定されていればよいことは云うまでもない。
【００２４】
（支点部材）
本実施形態に係る支点部材４は、先端４ａと後端４ｂを有し、基軸棒２に対して傾斜するように取り付けられて先端４ａが梃子の支点となる部材であり、本実施形態では、厚さ３ｍｍ以上６ｍｍ未満の中鋼板からなる断面略矩形の平板状の部材である。
【００２５】
この支点部材４は、分岐棒３の基軸棒２から離れた方の端部である先端部３ａに取り付けられた側面視三角形状のスペーサ８を介して分岐棒３に沿ってボルト接合されている。このため、支点部材４は、基軸棒２と分岐棒３とが直交する角度より小さい鋭角に基軸棒２に対して傾斜して固定されている。
【００２６】
つまり、支点部材４は、図１，図３に示す基軸棒２となす角である角度α＜９０°となるように分岐棒３に取り付けられている。この角度αは、ボード材を引きは剥がす際に基軸棒２の後端部２ｂを掴んで回し始めるのに力が掛け易い角度に調整されている。
【００２７】
また、支点部材４の先端４ａは、端面が板面に対して少し傾斜して切断されており、ボード材に突き刺さるように爪状に形成されている。基軸棒２を掴んで回転揺動する際に、支点となる先端４ａがずれ動いてしまうことを防止するためである。勿論、本発明に係る支点部材は、先端を剣先状にさらに鋭利な尖った形状としてもよいことは云うまでもない。
【００２８】
（直交棒：直交部材）
また、支点部材４の先端４ａから離間した位置には、材軸方向（長手方向）と軸方向が直交するように直交部材である直交棒９が取り付けられている。この直交棒９は、基軸棒２や分岐棒３と同材の棒材からなる。勿論、直交棒９は、基軸棒２や分岐棒３と別の材質から構成してもよいことは云うまでもない。
【００２９】
この直交棒９は、図１に示すように、その中央部９ａが支点部材４の板面上の所定の位置に、支点部材４の先端４ａがボード材に突き刺さった際に、外面（側面）が当接するように位置調整されてボルト接合されている。このため、直交棒９は、支点部材４の先端４ａと協働して、先端４ａを支点に回転揺動する際に、揺動する軌道がボード材の板面に対して左右にぶれないように支える機能を有している。
【００３０】
（横棒）
横棒５は、図１，図２に示すように、その中央部５ａが基軸棒２の先端部２ａに基軸棒２の軸方向と横棒５の軸方向が直交するように取り付けられている。具体的には、横棒５の中央部５ａが、一対の補強ピース１０，１０を介して基軸棒２の先端部２ａにボルト接合されており、横棒５と基軸棒２との接合位置となるコーナー部分の入隅には、側面視で三角形状の補強ピース１０で補強されている。つまり、補強ピース１０は、ボード材を骨組から引き剥がす際に横棒５と基軸棒２との接合部分に作用する応力に対抗する強度を担保している。
【００３１】
（掛止部材）
掛止部材６は、図１，図３に示すように、鋼板から折り曲げ加工されて断面コの字状に形成された掛止部６ａを有する部材であり、断面コの字状となった掛止部６ａの内側にボード材を掛け止めて引っ掛ける機能を有している。
【００３２】
この掛止部材６は、図１〜図３に示すように、横棒５の支点部材４が突出する側（壁側）の側面に左右一対の蝶番１１を介して取り付けられている。本実施形態では、掛止部材６は、左右一対の蝶番１１が、平板状の鋼板である一枚の延長プレート１２で連結された上、その延長プレート１２に掛止部材６がボルト接合されている。このため、掛止部材６は、横棒５及び基軸棒２に対して、図３の矢印方向に揺動自在となっている。勿論、本発明に係る掛止部材は、延長プレート１２を省略して連結されてもよく、要するに、本発明に係る掛止部材は、横棒５に対して揺動自在に取り付けられていればよい。
【００３３】
この掛止部材６は、図１，図３に示すように、断面コの字状の掛止部６ａの凹部の奥の位置での奥行Ｄ１が、ボード材の厚さ（二枚貼りの場合は二枚分の厚さ）と略同じに設定され、開いた開口部の奥行Ｄ２が、それより若干広く設定されている（Ｄ１＜Ｄ２）。
【００３４】
このため、掛止部材６は、ボード材の端部に掛止部６ａを引っ掛けた際に、ボード材の厚みより奥行Ｄ２が広いため簡単に引っ掛けられる。それに加え、掛止部材６は、Ｄ２とＤ１の差によるテーパー面で引っ掛ける掛止部６ａの凹部の奥に誘導されてボード材の幅に応じた奥行Ｄ１でしっかりボード材を挟持することができる。
【００３５】
なお、より具体的には、ボード材は、設置されている壁や天井の防火区画や耐火構造により厚みが決められており、ボード材の厚みに応じて、前述の掛止部材６の奥行Ｄ１が設定されている。例えば、軽量鉄骨に石膏ボード（プラスターボード）がビスやステープルなどの接合材で止付けられている間仕切り壁の場合、一般的に、ボード端面をずらした２枚貼り（１２．５ｍｍ+９．５ｍｍ）となっている。この場合は、例えば、本実施形態に係る掛止部材６は、Ｄ１＝１２．５ｍｍ+９．５ｍｍ＝２２ｍｍに設定し、Ｄ２は、それより若干広いＤ２＝１２．５ｍｍ+１２．５ｍｍ＝２５ｍｍ程度に設定する。
【００３６】
勿論、ボード材である石膏ボードも９．５ｍｍ，１２．５ｍｍ，１５ｍｍ，２１ｍｍ，２５ｍｍなどの複数種類の厚さがあり、壁では１２．５ｍｍ以上であるが、天井の場合は、９．５ｍｍの一枚貼りの場合もあり得る。よって、掛止部材６は、ボード材の厚さに応じて、Ｄ１，Ｄ２の寸法が異なる掛止部６ａを複数種類用意し、取替可能としてもよい。ボード材の厚さに奥行Ｄ１を合わせれば確実にボード材を挟み込んで掛け止めることができるからである。
【００３７】
［第１実施形態に係るボード剥がし工具の使用方法］
次に、図５を用いて、前述のボード剥がし工具１の使用方法について説明する。図５は、本発明の第１実施形態に係るボード剥がし工具の使用方法を示す説明図である。図５に示すように、本実施形態に係るボード剥がし工具１は、石膏ボードＢ１を軽量鉄骨の骨組から手動で引き剥がすボード剥がす際に用いる工具である。
【００３８】
一般に、石膏ボードＢ１は、軽量鉄骨の骨組であるスタッドやランナー（図示せず）にビスやステープルなどの接合材で止め付けられている。このため、石膏ボードＢ１の矩形状のピースは、人力では容易に骨組から引き剥がすことはできない。しかし、前述のボード剥がし工具１を用いることで極めて容易に短時間で石膏ボードＢ１のピースを骨組から引き剥がすことできるようになっている。
【００３９】
図５に示すように、先ず、石膏ボードＢ１の露出している端部（上端部）に、掛止部材６の掛止部６ａを嵌め込んでボード剥がし工具１に石膏ボードＢ１の端部を掛け止める。
【００４０】
そして、力点となるボード剥がし工具１の後端部２ｂを掴んで図５の矢印のＡ方向に押し込で基軸棒２を回転させる。すると、支点となる支点部材４の先端４ａが表面の石膏ボードＢ１に喰い込むこととなる。このため、支点が石膏ボードＢ１の表面を滑ってブレ動くことがなく、梃子の原理を用いて、石膏ボードＢ１のピースを接合材であるスタッド等の係合から簡単に引き抜いて離脱させ引き剥がすことができる。
【００４１】
また、このとき、前述のように、支点部材４の先端４ａの端面は、板面に対して傾斜した爪状となっているので、石膏ボードＢ１の表面の紙を突き破って石膏部分に突き刺さり、支点がぶれることを確実に防止することができる。
【００４２】
その上、支点部材４は、断面長方形状（矩形状）の平板であるので、先端４ａの端面は、断面の長辺が支点部材４の長手方向と直交し、且つ、基軸棒２の回転方向Ａとも直交する方向を長辺とすることとなる。このため、手動で基軸棒２を回転揺動する際に、支点となる先端４ａがずれることがないだけでなく、基軸棒２を回転するＡ方向もぶれることがなく、力学的に効率よく石膏ボードＢ１を骨組から容易に引き剥がすことができる。
【００４３】
このため、作用点である掛止部材６の掛止部６ａが掛け止めた石膏ボードＢ１のピースの上端ごとぶれることなく図５の矢印のＢ方向に揺動される。このとき、力点である後端部２ｂと支点である先端４ａとの距離に応じて梃子の原理により後端部２ｂに加えた力より遥かに大きな力で石膏ボードＢ１のピースの上端がＢ方向に揺動される。よって、ボード剥がし工具１によれば、スタッド等の係合から石膏ボードＢ１のピースを引き抜いて引き剥がすことができる。
【００４４】
石膏ボードＢ１のピースを一つ引き剥がすと、切断溝Ｍ１において次のピースの端部が露出することになる。このため、ボード剥がし工具１の前述のボード剥がし工程を繰り返すことにより、順次、石膏ボードＢ１のピースを次々に引き剥がすことができる。
【００４５】
［第２実施形態］
次に、図６〜図８を用いて、本発明の第２実施形態に係るボード剥がし工具１’について説明する。図６は、本発明の第２実施形態に係るボード剥がし工具１’を示す斜視図である。また、図７は、ボード剥がし工具１’を壁側から見た状態を示す正面図であり、図８は、ボード剥がし工具１’を示す左側面図である。
【００４６】
本発明の第２実施形態に係るボード剥がし工具１’は、図６〜図８に示すように、基軸棒２’と、この基軸棒２’に取り付けられた分岐棒３’と、この分岐棒３’に取り付けられた支点部材４’と、を備えている。また、ボード剥がし工具１’は、基軸棒２’の先端に基軸棒２’と直交する横棒５’を備え、この横棒５’にボード材の端部を掛け止める掛止部材６’が取り付けられている。このボード剥がし工具１’は、壁に取り付けられたボード材に支点部材４’の先端４ａ’を当接させてその先端４ａ’を支点として基軸棒２’の後端部２ｂ’を掴んで回転させて、梃子の原理を用いてボード材を壁の骨組から手動で引き剥がす機能を有している。
【００４７】
（基軸棒）
基軸棒２’は、前述のアルミフレームからなる基軸棒２’であり、ボード材をビスやステープルなどの接合材から引き剥がすことができる回転モーメントを得るための所定の長さ（例えば、３００ｍｍ〜１０００ｍｍ）を有する棒材である。図示形態では、狭い場所でも使用し易いように、回転半径を小さくした３００ｍｍ程度のものを例示している。勿論、本発明に係る基軸棒は、梃子の原理を用いて、ボード材を接合材から引き剥がすことができる回転モーメントを作用させることができる強度を有した棒材であれば寸法、形状、材質は問わない。
【００４８】
図６〜図８に示すように、この基軸棒２’の横棒５’が取り付けられる側が先端部２ａ’であり、反対側が後端部２ｂ’である。この後端部２ｂ’には、人の手で握り易い形に成形された取っ手となる把持部２０’がコの字プレート２１’を介して接合されている。そして、この基軸棒２’には、これらの先端部２ａ’と後端部２ｂ’との間の中間部２ｃ’に、分岐棒３’がボルト接合されている。
【００４９】
（分岐棒）
分岐棒３’は、基軸棒２’と同材の棒材からなり、基軸棒２’の軸方向に対して分岐棒３’の軸方向がするように取り付けられた部材であり、後述の支点部材４’を支持する機能を有している。また、本実施形態では、分岐棒３’の長さは、基軸棒２’の長さの１／３程度となっている。勿論、分岐棒３’の長さは、支点部材４’を所定の角度に支持固定できればよく、一定の長さに限定されるものではない。勿論、分岐棒３’は、基軸棒２’と別の材質から構成してもよく、基軸棒２’に対して直交するだけでなく、傾斜するなど交差して互いに固定されていればよいことは云うまでもない。
【００５０】
この分岐棒３’は、一対の補強ピース１０’，１０’を介して基軸棒２’の中間部２ｃ’にボルト接合されており、この分岐棒３’と基軸棒２’との接合位置となるコーナー部分の入隅には、側面視で三角形状の補強ピース１０’で補強されている。この補強ピース１０’は、アルミ合金などの金属材からなり、ボード材を骨組から引き剥がす際に分岐棒３’と基軸棒２’との接合部分に作用する応力に対抗する強度を担保している。勿論、この補強ピース１０’の材質は、金属材に限定されるものではなく、所望の強度を有して入ればよい。
【００５１】
（支点部材）
支点部材４’は、金属材からなるＬ型アングルであり、前述分岐棒３’の先端に軸方向が直交するように取り付けられている。この支点部材４’は、断面Ｌ型の一辺がボード材と当接してその先端４ａが梃子の支点となる支点部材４’として機能し、残りの一辺が前述の直交棒９と同様の機能を有する直交部材９’として機能する。
【００５２】
この支点部材４’は、図７，図８に示すように、直交部材９’として機能する部分が、分岐棒３’の先端の端面にビス止め等で固定されている。
【００５３】
また、支点部材４’の先端４ａ’も、前述の支点部材４の先端４ａと同様に、ボード材に突き刺さるように爪状に形成されても構わない。基軸棒２’の把持部２０’を掴んで回転揺動する際に、支点となる先端４ａ’がずれ動いてしまうことを防止するためである。
【００５４】
（横棒）
横棒５’は、アルミ合金などの金属材からなる棒材からなり、図６に示すように、その中央部５ａ’が基軸棒２’の先端部２ａ’に基軸棒２’の軸方向と横棒５’の軸方向が直交するように取り付けられている。具体的には、横棒５’の中央部５ａ’が、前述の一対の補強ピース１０’，１０’を介して基軸棒２’の先端部２ａ’にボルト接合されている。つまり、補強ピース１０’は、ボード材を骨組から引き剥がす際に横棒５’と基軸棒２’との接合部分に作用する応力に対抗する強度を担保している。
【００５５】
（掛止部材）
掛止部材６’は、図６，図８に示すように、軽量化を図るため多数の孔６０’が穿設されたパンチングメタルから折り曲げ加工されて断面コの字状に形成された掛止部６ａ’を有する部材であり、断面コの字状となった掛止部６ａ’の内側にボード材を掛け止めて引っ掛ける機能を有している。
【００５６】
この掛止部材６’は、図６，図８に示すように、横棒５’の長手方向の端部に止め付けられた左右一対の断面Ｌ字状のＬ字片１１’を介して、横棒５’及び基軸棒２’に対して揺動自在に取り付けられている（図６の矢印参照）。
【００５７】
この掛止部材６’は、前述の掛止部材６と同様に、断面コの字状の掛止部６ａ’の凹部の奥の位置での奥行Ｄ１が、ボード材の厚さ（二枚貼りの場合は二枚分の厚さ）と略同じに設定され、開いた開口部の奥行Ｄ２が、それより若干広く設定されている（Ｄ１＜Ｄ２）。
【００５８】
このため、掛止部材６’は、ボード材の端部に掛止部６ａ’を引っ掛けた際に、ボード材の厚みより奥行Ｄ２が広いため簡単に引っ掛けられる。それに加え、掛止部材６’は、Ｄ２とＤ１の差によるテーパー面で引っ掛ける掛止部６ａ’の凹部の奥に誘導されてボード材の幅に応じた奥行Ｄ１でしっかりボード材を挟持することができる。
【００５９】
［第２実施形態に係るボード剥がし工具の使用方法］
次に、図９を用いて、前述のボード剥がし工具１’の使用方法について説明する。図９は、本発明の第２実施形態に係るボード剥がし工具の使用方法を示す説明図である。図９に示すように、本実施形態に係るボード剥がし工具１’は、先ず、石膏ボードＢ１の露出している端部（上端部）に、掛止部材６’の掛止部６ａ’を嵌め込んでボード剥がし工具１に石膏ボードＢ１の端部を掛け止める。
【００６０】
そして、力点となるボード剥がし工具１’の把持部２０’を掴んで図９の矢印のＡ方向に押し込で基軸棒２を回転させる。すると、支点となる支点部材４の先端４ａが表面の石膏ボードＢ１に喰い込むこととなる。このため、支点が石膏ボードＢ１の表面を滑ってブレ動くことがなく、梃子の原理を用いて、石膏ボードＢ１のピースを接合材であるスタッド等の係合から簡単に引き抜いて離脱させ引き剥がすことができる。
【００６１】
以上説明した本発明の第１実施形態に係るボード剥がし工具１及び第２実施形態に係るボード剥がし工具１’によれば、電動カッターなどの切断手段で切断して引き剥がすので、従来のように石膏ボードＢ１をバールやハンマー等で叩き割る必要がない。このため、大きな騒音や大量の粉塵を発生させることがない。また、ボード剥がし工具１，１’で梃子の原理を利用して石膏ボードＢ１を引き剥がすので、非力な者でも誰でも簡単に石膏ボードＢ１を短時間で取剥がすことができる。
【００６２】
また、本発明の実施形態に係るボード剥がし工具１，１’によれば、石膏ボードＢ１を一人で運べる所定の大きさの矩形のピースに切断した上、骨組から綺麗に引き剥がして撤去する。このため、解体撤去後の分別作業が極めて容易になることから、改修工事や解体工事の効率を上げることができる。
【００６３】
以上、本発明の第１及び第２実施形態に係るボード剥がし工具１，１’について詳細に説明した。しかし、前述した又は図示した実施形態は、いずれも本発明を実施するにあたって具体化した一実施形態を示したものに過ぎず、これらによって本発明の技術的範囲が限定的に解釈されてはならないものである。
【００６４】
特に、部材同士の接合を六角穴付きボルトを例示してボルト接合する場合で説明したが、六角穴付きボルト及びボルト接合に限るものでもなく、部材同士が強固に接合されていれば、リベット接合や溶接など他の接合方法でも構わない。
【符号の説明】
【００６５】
１，１’：ボード剥がし工具
２，２’：基軸棒
２ａ，２ａ’：先端部
２ｂ，２ｂ’：後端部
２ｃ，２ｃ’：中間部
２０’：把持部
２１’：コの字プレート
３，３’：分岐棒
３ａ：先願部
４，４’：支点部材
４ａ，４ａ’：先端
４ｂ：後端
５，５’：横棒
５ａ，５ａ’：中央部
６，６’：掛止部材
６ａ，６ａ’：掛止部
６０’：孔
７：接続プレート
８：スペーサ
９：直交棒（直交部材）
９’：直交部材
９ａ：中央部
１０，１０’：補強ピース
１１：蝶番
１１’：Ｌ字片
１２：延長プレート
Ｂ１：石膏ボード（ボード材）
Ｍ１：切削溝
【要約】
【課題】大きな騒音や大量の粉塵を発生させることなく、誰でも簡単に壁面や天井面に取り付けられたボード材を剥がすことができるボード剥がし工具及びそれを用いたボード剥がし方法を提供する。
【解決手段】壁（間仕切り壁）（又は天井）に取り付けられたボード材（石膏ボードＢ１）を骨組から手動で引き剥がすボード剥がし工具１において、後端部２ｂを掴んで回転させる基軸棒２と、この基軸棒２に対して交差して取り付けられた先端４ａが梃子の支点となる支点部材４と、基軸棒２の先端部２ａに取り付けられたボード材の端部を掛け止める掛止部材６と、を設け、掛止部材６を、基軸棒２に対して揺動自在に取り付ける。
【選択図】図５【図１】
0006774080.tif 000002
【図２】
0006774080.tif 000003
【図３】
0006774080.tif 000004
【図４】
0006774080.tif 000005
【図５】
0006774080.tif 000006
【図６】
0006774080.tif 000007
【図７】
0006774080.tif 000008
【図８】
0006774080.tif 000009
【図９】
0006774080.tif 000010